(57)【要約】【課題】映像の視聴において、視聴者が早送り再生により飛ばしてしまったシーンに含まれる重要シーンの存在を視聴者に通知すること。【解決手段】映像再生時、再生映像中の被写体をユーザの嗜好対象として記憶しておく。ユーザが早送り再生を行った場合、早送り部分の映像とユーザ嗜好対象の照らし合わせを行う。もし、早送り部分の映像に、ユーザ嗜好に見合う被写体が映っているシーンがある場合、該当シーンの映像表示、あるいは、文字情報による表示を行い、ユーザに情報通知を行う。【選択図】  図１
2010147509.tif 000002
【特許請求の範囲】
【請求項１】
映像の早送り再生が可能な映像処理装置であって、
映像からユーザの嗜好対象を検出するユーザ嗜好検出部と、
前記ユーザ嗜好検出部で検出したユーザの嗜好対象を記憶するユーザ嗜好記憶部と、
前記ユーザの嗜好対象に基づき、再生中の映像からユーザの嗜好対象が映っているシーンを検出するシーン検出部と、
再生映像、あるいは、前記シーン検出部の検出結果の、少なくとも一方を出力する出力部と、を備え、
前記シーン検出部は、早送り再生をした部分の映像に対して前記検出を行うこと、
を特徴とする映像処理装置。
【請求項２】
請求項１に記載した映像処理装置であって、
前記ユーザ嗜好検出部は、
再生映像から被写体を抽出する被写体抽出部と、
前記被写体の抽出回数を記憶する抽出回数記憶部と、
前記抽出回数が一定以上に達した被写体をユーザの嗜好対象として判定する判定部と、を有すること、
を特徴とする映像処理装置。
【請求項３】
請求項１に記載した映像処理装置であって、
前記ユーザ嗜好検出部は、ユーザが早送り再生を行う直前のシーンで映像から消えた被写体を、ユーザの嗜好対象として検出すること、
を特徴とする映像処理装置。
【請求項４】
請求項２あるいは請求項３に記載した映像処理装置であって、
前記ユーザ嗜好記憶部、および、前記抽出回数記憶部の情報は、装置の各種操作や電源状態に依存せずに保持できること、
を特徴とする映像処理装置。
【請求項５】
請求項１に記載した映像処理装置であって、
前記出力部は、再生映像と、前記シーン検出部の検出結果を、異なる領域に表示するように出力すること、
を特徴とする映像処理装置。
【請求項６】
請求項１に記載した映像処理装置であって、
前記出力部は、再生映像と、前記シーン検出部の検出結果を、重畳させて出力すること、
を特徴とする映像処理装置。
【請求項７】
請求項１に記載した映像処理装置であって、
前記シーン検出部で２つ以上のシーンを検出した場合、
前記出力部は、検出したシーンを順次あるいは同時に表示すること、
を特徴とする映像処理装置。
【請求項８】
請求項１に記載した映像処理装置であって、
前記出力部は、前記シーン検出部の検出結果を文字情報で表示するように出力すること、
を特徴とする映像処理装置。
【請求項９】
請求項１に記載した映像処理装置であって、
前記出力部は、前記シーン検出部の検出結果を一定時間だけ出力する機能を有すること、
を特徴とする映像処理装置。
【請求項１０】
請求項１に記載した映像処理装置であって、
前記シーン検出部の検出結果から、検出したシーンを読み出して再生する機能を有すること、
を特徴とする映像処理装置。
【請求項１１】
請求項１０に記載した映像処理装置であって、
前記シーン検出部が検出したシーンを読み出して再生する場合、再生前の映像のタイムコードを記憶しておくこと、
を特徴とする映像処理装置。
【請求項１２】
請求項１１に記載した映像処理装置であって、
前記シーン検出部が検出したシーンを読み出して再生する場合、再生終了後に自動的に前記タイムコードの位置の映像を表示すること、
を特徴とする映像処理装置。
【請求項１３】
請求項１に記載した映像処理装置であって、
前記ユーザ嗜好検出部は、ユーザの再生方法に応じた処理を行い、ユーザが注目した再生映像部分からユーザ嗜好を検出すること、
を特徴とする映像処理装置。
【請求項１４】
請求項１に記載した映像処理装置であって、
前記シーン検出部の検出結果を一覧にした画面を生成、出力する機能を有すること、
を特徴とする映像処理装置。
【請求項１５】
請求項１に記載した映像処理装置であって、
前記出力部は、再生映像と、前記シーン検出部の検出結果の、何れか一方だけを表示する機能を有すること、
を特徴とする映像処理装置。
【請求項１６】
請求項１〜３いずれか一項に記載したユーザ嗜好検出部と、
前記ユーザ嗜好検出部で検出したユーザの嗜好対象を含む映像を検索する映像検索部と、
前記映像検索部による検索結果を通知するための情報を生成する通知情報生成部と、
を備えること、
を特徴とする映像配信システム。
【発明の詳細な説明】
【技術分野】
【０００１】
本発明は、カメラやレコーダなど記録再生を行う映像処理装置や映像配信システムに関わり、特に映像情報を利用することで視聴者を支援する機能を有する映像処理装置や映像配信システムに関する。
【背景技術】
【０００２】
近年、記録媒体の大容量化に伴い、カメラやレコーダでの動画像の長時間記録が可能になっている。記録映像の編集については、記録を行ったカメラやレコーダに付属の編集機能を用いる他、パーソナルコンピュータで動画像を取り込み、新たな動画像の生成、記録を行うといった編集方法もある。しかし、編集作業においては、残したいシーンを決定するために、映像および音声を視聴しながら作業することが必要となり、長時間の動画像を編集する作業では、多大な労力および時間を要する。
【０００３】
そこで、動画像の自動編集を可能にする技術が提案されている。
例えば、ユーザの再生履歴を用いて自動編集を行う技術として、特開２０００−３５０１６５号公報（特許文献１）が知られている。該公報には、課題として、「ユーザのお気に入りのシーンの代表画像を用いて、録画された動画の内容の要約情報を表示する動画像記録再生装置を提供する。」と記載され、この解決手段として、「動画像の録画、及び再生処理を行う録画再生部１１０と、録画再生部１１０を制御する制御部１２０と、動画像を格納する動画記憶装置３１と、制御部１２０が使用する制御情報を格納する制御情報記憶部１３０とを備え、録画すべき動画をシーンの変化毎に分割し、分割した各シーンから、代表画面を選出し、ユーザ入力操作種別に基づいて、各シーンの重要度を判別し、重要度の高いシーンの代表画面を、画像要約情報として表示する。」と記載されている。
【０００４】
また、特定の人物が映っている部分を抽出する技術として、特開２００２−１７６６１３号公報（特許文献２）が知られている。該公報には、課題として、「動画像を自動編集する装置を提供する。」と記載され、この解決手段として、「固定ディスク１０４に複数の動画像ファイル１４２を記憶した動画像処理装置において、判定部２１、抽出部２２および合成部２３を設ける。判定部２１は画像信号または音声信号が所定の基準を満たす動画像中の部分を特定する。例えば、特定の人物の顔が映し出されている部分、撮影の際にズームアップが行われた部分、音量が所定の値を超える部分等が特定される。抽出部２２は特定された部分を含む部分動画像を動画像ファイル１４２から抽出する。合成部２３は、部分動画像を結合して編集済ファイル１４３を生成する。これにより、動画像の自動編集が実現される。」と記載されている。
【０００５】
【特許文献１】特開２０００−３５０１６５号公報
【特許文献２】特開２００２−１７６６１３号公報
【発明の開示】
【発明が解決しようとする課題】
【０００６】
上記特許文献１では、ユーザの再生履歴（通常再生、スロー再生、高速再生、逆再生、静止）に応じてシーンの重み付けを行い、この重み付けをもとに映像の分割をすることによって、ユーザの嗜好を反映させた映像の自動編集を行う技術が開示されている。この方法において、ユーザは編集作業を行う意識を持たなくてもよい。自分の興味のないシーンは早送りで飛ばしてしまい、興味のあるシーンはじっくり見る。これだけで自動的に編集作業が行われるからである。ところが、ユーザにとって興味がなく、早送り再生されたシーンの中に、実は重要なシーンがある場合も考えられる。シーンを早送りしてしまった場合、そのシーンは自然と優先度が低く設定されてしまう。もし、早送りしたシーンの中にベストショットに値するシーンが含まれていても、ユーザは気づかずに終わってしまう。また、優先度も低く設定されるので、自動編集される映像の対象にもならない。この結果、実はいいシーンが記録されているにも関わらず、それを視聴せずに見過ごしてしまうことになる。これは特に、記録映像の内容を大まかに確認するために、５秒、１０秒、３０秒などの単位で早送り再生をした場合に陥る問題である。この場合、ユーザは記録映像を断片的にしか視聴できないため、重要なシーンを見過ごしやすくなってしまう。
【０００７】
また、上記特許文献２では、ユーザが抽出したい人物の映像を登録することで、その人物が映っているシーンを自動抽出して映像の編集を行う技術が開示されている。上記特許文献１と合わせる事で、ユーザの意図する人物が映っているシーンを逃さずに視聴することが可能になるが、この方法において、ユーザは抽出したい人物の映像を登録する必要がある。また、登録する映像は一定の条件を満たさなければならない。例えば、抽出したい人物の正面顔を登録しなければ検出が困難になり、抽出できない場合がある。従って、ユーザは、編集作業をする場合と同様に、意識的に登録作業を行う必要がある。
【０００８】
本発明は以上の点を考慮してなされたもので、映像の視聴において、視聴者が飛ばしてしまったシーンに含まれる重要シーンの存在を視聴者に通知する方法を提案するものである。
【課題を解決するための手段】
【０００９】
上記目的は、一例として特許請求項の範囲に記載の構成により達成できる。
【発明の効果】
【００１０】
本発明によれば、映像の視聴において視聴者が飛ばしてしまったシーンに重要シーンが含まれていた場合に、そのシーンの存在を視聴者に通知することが可能になる。これにより、視聴者は重要なシーンを見過ごすことなく視聴できるようになり、使い勝手が向上する。
【発明を実施するための最良の形態】
【００１１】
以下、図面を用いて本発明の一実施の形態を説明する。
【実施例１】
【００１２】
図１は、本発明の第１実施例に係る映像処理装置を示すブロック図である。図１において、１は映像入力部、２は操作ＩＦ、３は記録再生制御部、４は記録媒体、５は映像合成部、６は映像出力部、７はモニタ、８はユーザ嗜好検出部、９はユーザ嗜好記憶部、１０はシーン検出部、１１は通知情報生成部である。
【００１３】
ここで、図１を用いて本発明の構成について示す。
【００１４】
映像入力部１から取り込んだ映像は、記録再生制御部３により記録媒体４へ記録を行う。また、記録媒体４に記録した映像は、操作ＩＦ２を操作することで再生することができる。映像を再生する場合、記録再生制御部３が記録媒体４から再生映像を読み出し、映像出力部６から再生映像を出力、モニタ７へ表示する。なお、映像再生時は、ユーザ嗜好検出部８において再生映像からの被写体抽出を行い、ユーザの嗜好対象としてユーザ嗜好記憶部９へ記憶する。シーン検出部１０では、ユーザが早送り再生を行った場合、早送り部分の映像とユーザ嗜好記憶部９に記憶しているユーザ嗜好対象の照らし合わせを行う。もし、早送り部分の映像に、ユーザ嗜好対象の映っているシーンがある場合、通知情報生成部１１で通知情報を生成し、映像合成部５で再生映像と合成して出力することで、ユーザに情報通知を行う。
【００１５】
次に、本発明を適用した場合の具体的な処理の流れについて示す。
【００１６】
図２は、本発明の第１実施例に係る映像処理装置を利用した場合の処理の流れについて、一例を示す図である。処理の流れを順に示す。まず初めにユーザが再生を開始する（ＳＰ１）。再生中は、再生映像からの被写体抽出を行う（ＳＰ２）。抽出する被写体は、人物、置物、乗り物など、何であっても良い。例えば、被写体を人物とした場合、背景差分法や肌色検出法などの従来手法により被写体の有無を判定、抽出することができる。また、被写体が車などの動物体である場合、フレーム画像間における画像の差分を抽出する動き検出処理などの従来手法により被写体の有無を判定、抽出することができる。このようにして抽出した被写体から特徴点を抽出し、被写体ごとに管理しておく。例えば、被写体を人物とした場合、目、眉毛、鼻、口、服に描かれた文字など、特徴部位をテンプレート画像として記憶し、被写体の構成要素として管理する。このような管理情報を持つことにより、同一被写体が映像に映った場合、パターンマッチングを行うことで、同一被写体であることが判別可能になる。従って、それぞれの被写体について、映ったシーンをカウントすることができる。抽出したシーンの数が多いもの、つまり、映像に映っている時間が一定以上（ＳＰ３）の被写体については、ユーザの嗜好対象として記憶する（ＳＰ４）。もし、早送り再生が行われた場合（ＳＰ６）、早送り再生をした部分の映像について、ユーザの嗜好対象が映っているかどうかを判定する（ＳＰ７）。早送り再生をした部分の映像と、ユーザの嗜好対象の管理情報（テンプレート画像）を照らし合わせ、パターンマッチングによる判定を行う。ここで、ユーザの嗜好対象が映っていると判定した場合、これをユーザに通知する（ＳＰ８）。以上の処理を、再生停止が行われ（ＳＰ５）、再生終了に至る（ＳＰ９）まで繰り返し行う。なお、再生映像中のそれぞれの被写体が映ったシーンの数や、それぞれの被写体の管理情報、ユーザの嗜好対象などの情報については、装置の各種操作や電源状態によらずに保持しておくことで使い勝手が向上する。また、ここでは、映像中の被写体の抽出にテンプレートマッチングを利用する方法を示したが、その他の如何なる手法を用いても良い。本実施例では、映像に映っている時間が一定以上の被写体をユーザの嗜好対象とする例を示したが、ユーザの再生操作に応じてユーザの嗜好対象を決定しても良い。例えば、ユーザが早送り再生を行った場合、その直前でユーザの嗜好対象が映像から消えたと考えることができる。つまり、この場合、早送り再生をする直前の映像から被写体抽出を行うことで、ユーザの嗜好対象を検出することが可能になる。
【００１７】
次に、本発明を適用した場合のユーザへの情報通知の方法について示す。
【００１８】
図３は、本発明の第１実施例に係る映像処理装置を利用した場合の情報通知について、一例を示す図である。ここでは、映像再生中に早送り再生を行い、早送り再生を終えた後に再生画面へ戻った状況を考える。早送り再生をした部分の映像にユーザの嗜好対象が映っていた場合、そのシーンをサムネイル映像として画面に表示する。図３（ａ）は、再生画面を背景として、サムネイル映像を小さく重畳表示した場合の一例である。また、図３（ｂ）は、再生画面を縮小表示し、サムネイル映像を残りの領域に小さく表示した場合の一例である。図３では、２つのシーンを検出した場合の例であるが、１つのシーン、あるいは、３つ以上のシーンを検出した場合についても、各シーン映像を同時に表示する。検出シーンが多い場合には、各シーン映像を順次表示しても良い。このような画面表示を行うことで、ユーザに対して分かりやすく情報通知を行うことが可能である。ユーザはこの通知を受け、早送りしてしまったシーンを再度確認することができる。なお、サムネイル映像は静止画であっても動画であっても良い。静止画表示の場合、ユーザの嗜好対象が大きく映っているシーンを表示することで、より分かりやすい表示となる。また、動画表示の場合は、ユーザの嗜好対象が映っているシーンだけを再生し、該当シーンが終わると同時に静止画表示に移行しても良い。
【００１９】
ここで、ユーザへの情報通知の方法は、サムネイル映像に限らず、文字情報を利用しても良い。図４は、本発明の第１実施例に係る映像処理装置を利用した場合の情報通知について、異なる一例を示す図である。ここでは、図３と同様、映像再生中に早送り再生を行い、早送り再生を終えた後に元の再生画面へ戻った状況を考える。図４（ａ）は、早送り再生をした部分の映像にユーザの嗜好対象が映っていた場合に「重要なシーンがありました」とメッセージを表示した場合の一例である。また、図４（ｂ）は、図３と同じくサムネイル映像を表示した場合であり、該当シーンのタイムコードを同時に表示した場合の一例である。このように、映像だけでなく文字情報を併せて画面表示することで、ユーザに対してより分かりやすく情報通知を行うことが可能である。
本実施例では、再生時にユーザの嗜好対象となる被写体を抽出し、早送り再生をした部分の映像とのマッチングを行う処理について示したが、被写体の抽出は記録時に行っても良い。この場合、再生中の被写体検出は不要となり、記録時の被写体抽出情報を参照することでユーザ嗜好対象を取得することが可能になる。さらに、早送り再生をした部分の映像とのマッチングについても、記録時の被写体抽出情報を参照することで、容易にユーザ嗜好対象の有無を検出することが可能にある。また、映像および文字を利用した情報通知については、如何なる組み合わせの表示を行っても良く、その表示位置についても任意である。なお、情報通知については、５秒や１０秒など、一定時間経過後に非表示になるように設定しても良いし、ユーザが操作ＩＦ２から指示することで非表示になるように設定しても良い。
【００２０】
このように本実施例によれば、映像再生中に早送り再生を行うことでユーザが飛ばしてしまったシーンに重要なシーンが含まれていた場合、重要シーンの存在を、映像や文字情報を用いてユーザへ分かりやすく通知することが可能になる。これにより、ユーザは重要なシーンを見過ごすことがなくなり、使い勝手が向上する。
【実施例２】
【００２１】
実施例１では、重要なシーンの情報通知について、図３および図４を用いて示した。本実施例では、通知した重要シーンを再生するための方法について一例を示す。図５は、本発明の第２実施例に係る映像処理装置を利用した場合の処理の流れについて、一例を示す図である。また、図６は、本発明の第２実施例に係る映像処理装置を利用した場合の再生映像切換えについて、一例を示す図である。ここで、本実施例における処理の流れを順に示す。まず初めに、早送り再生した部分の重要シーンが表示される（ＳＰ１０）。次に、ユーザは、任意の重要シーンの映像を選択する（ＳＰ１１）。このときの画面表示の一例を示したのが図６（ａ）である。ここでは、再生映像を背景として、２つの重要シーンがサムネイル映像として重畳表示された場合を示す。ユーザは、操作ＩＦ２で再生したい重要シーンの映像を選択する。また、選択する方法としては、図６（ａ）のように選択対象に枠線１３を表示することで対象を選択する方法を示す。操作ＩＦ２に上下左右を選択できるボタンが搭載されていた場合、ユーザは左右の選択ボタンを押すことで、枠線１３を別の対象に移行することができる。再生したい対象に枠線１３を付けた状態で、操作ＩＦ２から決定操作を行うことで対象映像の再生を開始する（ＳＰ１２）。再生映像切換え後の画面表示の一例を図６（ｂ）に示す。選択した映像を画面全体で再生し、元の再生映像はサムネイル映像として小さく表示する。この時、元の再生映像のタイムコードを記憶しておけば、ユーザが任意のタイミングで元の再生映像を再生することが可能になる。これは、操作ＩＦ２から重要シーンの再生停止を指示する、あるいは、図６（ａ）のように枠線１３を利用し、サムネイル映像として表示している元の再生映像を選択することで行われる。このようにして元の再生映像に戻す（ＳＰ１３）ことで、元の再生映像画面に戻る（ＳＰ１４）。なお、重要シーンの再生終了後、自動的に元の再生映像画面に戻るようにしても良い。また、重要シーンの再生画面において、元の再生映像はサムネイル映像として小さく表示する例について示したが、元の再生映像を表示しないようにしても良い。
【００２２】
このように本実施例によれば、映像再生中に早送り再生を行うことでユーザが飛ばしてしまったシーンに重要なシーンが含まれていた場合、その重要シーンを容易に再生することが可能になる。これにより、使い勝手が向上する。
【実施例３】
【００２３】
実施例１では、本発明の構成について図１を用いて示した。その中で、ユーザ嗜好検出部８では、再生中の映像から被写体の抽出を行い、ユーザの嗜好対象としてユーザ嗜好記憶部９へ記憶することを示した。しかし、再生映像の中には、ユーザの嗜好対象ではない被写体も多く存在しており、それらの被写体が嗜好対象として記憶してしまうのは好ましくない。そこで、再生映像の中でも、ユーザが注目して見ている映像部分を被写体抽出対象の映像として取扱う方法について示す。
【００２４】
図７は、本発明の第３実施例に係る映像処理装置を利用した場合の処理の流れについて、一例を示す図である。処理の流れを順に示す。まず初めにユーザが再生を開始する（ＳＰ１５）。ユーザは、再生中にスロー再生や一時停止などの操作を行うことがある。例えばスロー再生を行ったシーンというのは、ユーザの嗜好対象が映っているシーンであると考えられる。同様に、一時停止したシーンについても、嗜好対象が映っているシーンであると考えることができる。また、繰り返し再生しているシーンがあれば、そのシーンにも嗜好対象が映っていると考えられる。つまり、このように特定の操作を行いながら再生した場合というのは、ユーザが注目していることを意味しており、その映像中にはユーザの嗜好対象が映っていると考えられる。従って、繰り返し再生している再生頻度の高いシーンである場合（ＳＰ１７）、スロー再生した場合（ＳＰ１９）、一時停止した場合（ＳＰ２１）について、それぞれ被写体検出を行ってユーザ嗜好を記憶する（ＳＰ１８、２０、２２）ことで、それ以外のシーンについては嗜好対象の検出対象外とすることができる。この処理を、再生停止が行われ（ＳＰ１６）、再生終了に至る（ＳＰ２３）まで繰り返し行う。これにより、ユーザ嗜好を精度よく検出することが可能になる。
【００２５】
ここでは、再生頻度の高いシーン、スロー再生した場合、一時停止した場合を、ユーザが注目した映像部分として考えたが、その他の特定の操作をユーザの注目部分として考えた構成にしても良い。
【００２６】
このように本実施例によれば、映像の再生方法からユーザの注目した映像部分を推定し、その映像中からユーザの嗜好対象を検出することができるため、ユーザ嗜好を精度よく検出することが可能になる。これにより、重要なシーンの検出精度が向上する。
【実施例４】
【００２７】
実施例１では、早送り再生を行うことで飛ばしてしまった映像中に、ユーザの嗜好対象が映っている重要シーンがあった場合、早送り再生終了時に情報通知を行う方法について示した。本実施例では、検出した重要シーンを一覧表示する画面の生成、表示方法について示す。
【００２８】
図８は、本発明の第４実施例に係る映像処理装置を利用した場合の処理の流れについて、一例を示す図である。処理の流れを順に示す。まず初めにユーザが再生を開始する（ＳＰ２４）。ユーザは、指示ＩＦ２から、重要シーンの一覧を表示するように指示することで（ＳＰ２５）、重要シーンの一覧を画面表示することができる（ＳＰ２９）。重要シーンの一覧作成は、ＳＰ２６〜２８で行う。まず、ユーザが早送り再生した場合（ＳＰ２６）、早送り再生した映像中にユーザの嗜好対象が映っているか判定し（ＳＰ２７）、もし映っていた場合には重要シーン一覧への追加を行う（ＳＰ２８）。このＳＰ２６〜２８を繰り返し実行することで、随時、重要シーン一覧を更新していく。ここで生成する重要シーン一覧画面の一例を図９に示す。ここでは、検出した重要シーンのサムネイル映像と、そのシーンのタイムコードを表示している。なお、図９の一覧表示画面では３つのシーンを表示しているが、いくつのシーンを同時に表示しても良く、検出シーンが多い場合はページ切換え表示にしても良い。このような一覧表示画面を生成することで、ユーザは任意のタイミングで重要シーンを確認できる。従って、実施例１で示したような再生影像と重要シーンの同時表示は行わなくても良い。これは、重要シーンの一覧表示を生成する場合、早送り再生終了時の情報通知を無効にする機能を装置の設定機能として搭載することで実現可能である。
【００２９】
このように本実施例によれば、映像再生中に早送り再生を行うことでユーザが飛ばしてしまったシーンに重要なシーンが含まれていた場合、自動的に重要シーンの一覧表示を生成することが可能になる。これにより、ユーザは任意のタイミングで重要シーンを確認することが可能になり、使い勝手が向上する。
【実施例５】
【００３０】
図１０は、本発明の第５実施例に係る映像配信システムを示すブロック図である。図１０において、４は記録媒体、７はモニタ、８はユーザ嗜好検出部、１１は通知情報生成部、１７は映像送信部、１６はサーバ、１８は映像検索部である。
【００３１】
実施例１〜４では、記録再生機能を有する映像処理装置に関して、ユーザ嗜好対象の検出、および、早送り再生で飛ばしたシーンに含まれるユーザ嗜好対象の提示について示した。本実施例では、ユーザ嗜好対象を検出し、配信映像の中からユーザ嗜好に該当する映像を検索してユーザに提示する映像配信システムについて示す。
【００３２】
ここで、図１０を用いて本発明の構成について示す。
【００３３】
ユーザはインターネットを介してサーバ１６の配信する映像をモニタ７で視聴する。ユーザが記憶媒体４に記録された映像を視聴すると、ユーザ嗜好検出部８では視聴映像からユーザ嗜好対象の検出を行う。また、映像検索部１８では、記憶媒体４からユーザ嗜好対象に見合った映像の検索を行い、該当するものがある場合には通知情報生成部１１で通知情報を生成した後、これをモニタ７へ送信し、ユーザに情報提示を行う。
次に、本発明を適用した場合の具体的な処理の流れについて示す。
【００３４】
図１１は、本発明の第５実施例に係る映像配信システムを利用した場合の処理の流れについて、一例を示す図である。処理の流れを順に示す。まず初めにユーザが視聴を開始する（ＳＰ３０）。ユーザ嗜好検出部８では視聴映像からユーザ嗜好対象の検出を行い、この結果を元に、映像検索部１８では記憶媒体４からユーザ嗜好対象に見合った映像を検索する（ＳＰ３１）。ここで、ユーザ嗜好対象の検出、ユーザ嗜好対象に見合った映像の検索については、実施例１で示したように、映像中から被写体検出を行い、その結果をユーザの嗜好対象として記憶することで、ユーザ嗜好対象の映っている映像の検索が可能になる。映像検索の結果、ユーザ嗜好の映像があった場合、これをユーザに通知する（ＳＰ３２、３３）。通知の方法としては、実施例１で示したように、検索結果の映像をサムネイル表示する他、文字情報により通知しても良い。ユーザが検索結果の映像再生を指示した場合、該当映像を再生表示する（ＳＰ３４、３５）。再生する映像の指示や再生方法についても、実施例１で示した方法により実現することができる。ユーザの嗜好対象映像がない場合や、嗜好対象映像を再生しない場合、そして、嗜好対象映像の再生を終えた場合、視聴終了となる（ＳＰ３６）。
【００３５】
なお、ユーザ嗜好対象に見合う映像の検索については、ユーザ嗜好対象の検出と併せて行っても良いし、ユーザの指示で開始するようにしても良い。また、記録媒体４に記録されている映像に関し、サーバ１６がメタデータを保持している場合、これを検索に利用しても良い。
このように本実施例によれば、映像配信を行うサーバ上に、ユーザの嗜好対象を検出する機能を備えることで、ユーザの嗜好に見合った映像を容易に提供できるようになり、使い勝手が向上する。
【００３６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【００３７】
本発明は、映像の早送り再生機能を有する、あらゆる映像処理装置への利用が可能である。
【図面の簡単な説明】
【００３８】
【図１】本発明の第１実施例に係る映像処理装置を示すブロック図である。
【図２】本発明の第１実施例に係る映像処理装置を利用した場合の処理の流れについて、一例を示す図である。
【図３】本発明の第１実施例に係る映像処理装置を利用した場合の情報通知について、一例を示す図である。
【図４】本発明の第１実施例に係る映像処理装置を利用した場合の情報通知について、異なる一例を示す図である。
【図５】本発明の第２実施例に係る映像処理装置を利用した場合の処理の流れについて、一例を示す図である。
【図６】本発明の第２実施例に係る映像処理装置を利用した場合の再生映像切換えについて、一例を示す図である。
【図７】本発明の第３実施例に係る映像処理装置を利用した場合の処理の流れについて、一例を示す図である。
【図８】本発明の第４実施例に係る映像処理装置を利用した場合の処理の流れについて、一例を示す図である。
【図９】本発明の第４実施例に係る映像処理装置を利用した場合の重要シーン一覧画面の表示について、一例を示す図である。
【図１０】本発明の第５実施例に係る映像配信システムを示すブロック図である。
【図１１】本発明の第５実施例に係る映像配信システムを利用した場合の処理の流れについて、一例を示す図である。
【符号の説明】
【００３９】
１  映像入力部
２  操作ＩＦ
３  記録再生制御部
４  記録媒体
５  映像合成部
６  映像出力部
７  モニタ
８  ユーザ嗜好検出部
９  ユーザ嗜好記憶部
１０  シーン検出部
１１  通知情報生成部
１２  重要シーン通知画面
１３  映像選択枠
１４  重要シーン再生画面
１５  重要シーン一覧表示画面
１６  サーバ
１７  映像送信部
１８  映像検索部
【図１】
2010147509.tif 000003
【図２】
2010147509.tif 000004
【図３】
2010147509.tif 000005
【図４】
2010147509.tif 000006
【図５】
2010147509.tif 000007
【図６】
2010147509.tif 000008
【図７】
2010147509.tif 000009
【図８】
2010147509.tif 000010
【図９】
2010147509.tif 000011
【図１０】
2010147509.tif 000012
【図１１】
2010147509.tif 000013